(57)【特許請求の範囲】
【請求項１】
キャップ本体に蓋部がヒンジ部を介して接続するワンピースのプラスチックキャップにおいて、前記ヒンジ部の中央位置に切り欠き部を設け、且つ前記ヒンジ部の幅方向の内側位置で、折り曲がり部分に幅方向へ跨がる長方形状の凹部を形成したことを特徴とするプラスチックキャップ。
【請求項２】
前記切り欠き部の下方位置にキャップ本体と蓋部とを連結する弾性帯部を設け、且つ、前記切り欠き部の両側に、前記ヒンジ部の幅方向の内側位置で、折り曲がり部分に幅方向へ跨がる長方形状の凹部を形成したことを特徴とする請求項１記載のプラスチックキャップ。
【請求項３】
前記ヒンジ部が、０．４〜０．６ｍｍの厚みで、前記凹部が、０．１〜０．２ｍｍの深さで、ヒンジ部の折り曲がり部分の長さの５０％以上の長さで、１ｍｍ以上の幅で、長方形状であることを特徴とする請求項１又は請求項２記載のプラスチックキャップ。
【発明の詳細な説明】
【０００１】
【発明の属する技術分野】
本発明は、ポン酢、みりんなどの食品や、シャンプー、柔軟剤、台所洗剤などの非食品などに使用するボトルの口部に、係着するキャップ本体に蓋部がヒンジ部を介して接続するワンピースのプラスチックキャップに関するものである。
【０００２】
【従来の技術】
従来、液体内容物を充填したボトルには、使用時の使用のし易さから、例えば図５に示すように、キャップ本体（２００）に蓋部（３００）がヒンジ部（１００）を介して接続するワンピースのプラスチックキャップ（１０）が、広い用途範囲にわたって使用されていた。
【０００３】
【発明が解決しようとする課題】
しかしながら、上述の従来のプラスチックキャップは、使用時の開封のし易さ、または、使用後の取り外しのし易さから、図５に示すように、キャップ本体（２００）の所定位置に薄肉脆弱線（２２０）を設けて、開封用プルリング（２１０）や取り外し用つまみで切断するものがあり、低密度ポリエチレンなどの柔らかい樹脂を用いてキャップが成形されていた。このため、肉厚が薄い（通常では０．３〜０．６ｍｍ厚）ヒンジ部が、数１０回の蓋の開け閉めで切断してしまうことがあった。
【０００４】
本発明は、上述の従来の問題を解決したものであり、キャップ本体に蓋部を装着したときに、キャップ本体と蓋部との間に隙間がなく、且つ、６００回の蓋部の開閉でもヒンジ部が切断しないプラスチックキャップを提供するものである。
【０００５】
【課題を解決するための手段】
すなわち、本発明の第１の発明は、キャップ本体に蓋部がヒンジ部を介して接続するワンピースのプラスチックキャップにおいて、前記ヒンジ部の中央位置に切り欠き部を設け、且つ前記ヒンジ部の幅方向の内側位置で、折り曲がり部分に幅方向へ跨がる長方形状の凹部を形成したことを特徴とするプラスチックキャップである。
【０００６】
次に、本発明の第２の発明は、前記切り欠き部の下方位置にキャップ本体と蓋部とを連結する弾性帯部を設け、且つ、前記切り欠き部の両側に、前記ヒンジ部の幅方向の内側位置で、折り曲がり部分に幅方向に跨がる長方形状の凹部を形成したことを特徴とする第１の発明に記載のプラスチックキャップである。
【０００７】
そして、第３の発明は、前記ヒンジ部が、０．４〜０．６ｍｍの厚みで、前記凹部が、０．１〜０．２ｍｍの深さで、ヒンジ部の折り曲がり部分の長さの５０％以上の長さで、１ｍｍ以上の幅で、長方形状であることを特徴とする第１の発明又は第２の発明に記載のプラスチックキャップである。
【０００８】
【作用】
本発明のプラスチックキャップは、ヒンジ部の厚みが０．４〜０．６ｍｍと薄いため、キャップ本体に蓋部を装着したときに、キャップ本体と蓋部との間に隙間ができない。なお、本発明者らの度重なるテストにおいては、ヒンジ部の厚みが、０．６ｍｍ以上では、キャップ本体と蓋部との間に隙間ができ、０．４ｍｍ以下では、蓋部の開閉により切断し易い。
【０００９】
また、本発明のプラスチックキャップは、ヒンジ部の幅方向の内側位置で、ヒンジ部の折り曲がり部分に、深さが０．１〜０．２ｍｍで、長さがヒンジ部の折り曲がり部分の長さの５０％以上で、幅が１ｍｍ以上の長方形状の凹部が幅方向へ跨がって形成されており、蓋部の開閉によるヒンジ部の折り曲がり時の形状歪みが凹部により緩和され、折り曲がり部分へかかる負荷力が減少する。この結果、６００回の蓋部の開閉でもヒンジ部が切断しない。なお、本発明者らの度重なるテストにおいては、凹部の深さが、０．１ｍｍ以下では効果が少なく、０．２ｍｍ以上では強度が弱くなり、凹部の長さが、ヒンジ部の折り曲がり部分の長さの５０％以下では効果が少なく、凹部の幅が、１ｍｍ以下では効果が少ない。
【００１０】
また、ヒンジ部の中央位置に切り欠き部を設け、この切り欠き部の両側のヒンジ部の幅方向の内側位置で、折り曲がり部分に幅方向へ跨がる長方形状の凹部をそれぞれ形成し、切り欠き部の下方位置に、キャップ本体と蓋部とを連結する例えばＵ字状の弾性帯部を設けた本発明のプラスチックキャップは、この弾性帯部の作用によって、蓋部が完全な状態に開閉していない場合に、その位置から自動的に蓋部が完全に開くか閉じるかするスナップヒンジ機能が付与される。また、この弾性帯部を設けることにより、ヒンジの開閉に対する強度が増し、内容物を注出するときに、蓋部の開口が完全でがたつきがなく、内容物を注出し易い。
【００１１】
【発明の実施の形態】
次に、本発明のプラスチックキャップを、実施形態に基づいて以下に図を用いて詳細に説明する。
【００１２】
本発明の一実施形態のプラスチックキャップ（１０）は、図１又は図２示すように、開封用プルリング（２１０）、取り外し用つまみ（２３０）及び所定位置に薄肉脆弱線（２２０）を設けたキャップ本体（２００）に、蓋部（３００）を開閉するときに折れ曲がるヒンジ部（１００）を介して蓋部を接続したキャップである。
【００１３】
このプラスチックキャップは、通常、低密度ポリエチレンなどの熱可塑性樹脂を用いて、射出成形法でキャップ本体とヒンジ部と蓋部が一体にワンピースで作製されるものである。
【００１４】
そして、ヒンジ部（１００）には、図１及び図２に示すように、ヒンジ部の幅方向の内側位置で、折り曲がり部分（１０１）に幅方向へ跨がる凹部（１１０）を形成するものである。ヒンジ部は、０．４〜０．６ｍｍの厚み（Ｄ）で、凹部は、０．１〜０．２ｍｍの深さ（ｄ）で、ヒンジ部の折り曲がり部分の長さ（Ｌ）の５０％以上長さ（ｌ）で、１ｍｍ以上の幅（ｗ）で、長方形状に形成するものである。なお、本実施形態のプラスチックキャップでは、ヒンジ部の中央位置に切り欠き部（１２０）を設け、この切り欠き部の両側に、それぞれ凹部を形成した。
【００１５】
次に、本発明の他の一実施形態のプラスチックキャップ（１０）は、図３（ａ）及び（ｂ）に示すように、キャップ本体（２００）に蓋部（３００）がヒンジ部（１００）を介して接続するワンピースのプラスチックキャップであり、ヒンジ部の中央位置に切り欠き部（１２０）を設け、この切り欠き部の両側のヒンジ部に、ヒンジ部の幅方向の内側位置で、折り曲がり部分（１０１）に幅方向へ跨がる長方形状の凹部（１１０）をそれぞれ形成し、且つ、切り欠き部（１２０）の下方位置に、キャップ本体（２００）と蓋部（３００）とを連結する例えばＵ字状の弾性帯部（４００）を設けるものである。なお、ヒンジ部、凹部の形成及び製造法は、前述の実施形態のプラスチックキャップと同様である。また、このプラスチックキャップ（１０）は、図４（ａ）に示すように、蓋部（３００）がキャップ本体（２００）に閉じるときには、弾性帯部（４００）の作用によりしっかりと自動的に装着し、また、図４（ｂ）に示すように、蓋部（３００）がキャップ本体（２００）より開くときには、弾性帯部（４００）の作用によりしっかりと自動的に開口するいわゆるスナップヒンジ機能を有するものである。
【００１６】
なお、上述した本発明の実施形態のプラスチックキャップは、キャップ本体に蓋部を装着したときに、キャップ本体と蓋部との間に隙間がなく、また、６００回の蓋部の開閉でもヒンジ部が切断することがなかった。
【００１７】
【発明の効果】
本発明のプラスチックキャップは、キャップ本体に蓋部を装着したときに、キャップ本体と蓋部との間に隙間がなく、また、ヒンジ部の折れ曲がり部に跨がって形成した凹部の効果により、６００回の蓋部の開閉でもヒンジ部が切断しないものである。
【００１８】
また、本発明のプラスチックキャップは、スナップヒンジ機能を付与することも可能で
ある。
【図面の簡単な説明】
【図１】  本発明のプラスチックキャップの一実施の形態を説明する要部の平面図である。
【図２】  図１に示すキャップの要部の断面図である。
【図３】  （ａ）は、本発明のプラスチックキャップの他の一実施の形態を説明する要部の平面図であり、（ｂ）は、その要部の断面図である。
【図４】  （ａ）は、図３に示すキャップの蓋部をキャップ本体に閉じたときの状態を示す要部の断面図であり、（ｂ）は、蓋部をキャップ本体から開けたときの状態を示す要部の断面図である。
【図５】  蓋部がキャップ本体にヒンジ部を介して接続する一例のプラスチックキャップの断面図である。
【符号の説明】
１０……プラスチックキャップ
１００……ヒンジ部
１０１……折り曲がり部分
１１０……凹部
１２０……切り欠き部
２００……キャップ本体
２１０……開封用プルリング
２２０……薄肉脆弱線
２３０……取り外し用つまみ
３００……蓋部
４００……弾性帯部
【図１】
0004187880.tif 000002
【図２】
0004187880.tif 000003
【図３】
0004187880.tif 000004
【図４】
0004187880.tif 000005
【図５】
0004187880.tif 000006